(57)【要約】  通信距離の低下を抑えつつ、一層の小型化を図ることができるＲＦＩＤタグを提供する。  ＲＦＩＤタグ（１）は、基板（３１）にコイル状アンテナ（３２）が内蔵されたインダクタ素子（３）と、基板（３１）の実装面（３１Ａ）上に実装され、コイル状アンテナ（３２）に電気的に接続されるＲＦＩＣ素子（２）とを備えるＲＦＩＤタグ（１）であって、コイル状アンテナ（３２）は、巻回軸（３２Ａ）が基板（３１）の実装面（３１Ａ）に対して平行又は傾斜するように設けられ、基板（３１）の実装面（３１Ａ）に対して直交する方向から見たＲＦＩＣ素子（２）の面積は、コイル状アンテナ（３２）の巻回軸（３２Ａ）方向から見たコイル状アンテナ（３２）の開口面積よりも大きく、ＲＦＩＣ素子（２）は、コイル状アンテナ（３２）の巻回軸（３２Ａ）方向から見たとき、コイル状アンテナ（３２）の開口領域（３２Ｂ）の少なくとも一部と重ならないように設けられている。
2019239626.tif 000002
【特許請求の範囲】
【請求項１】
基板にコイル状アンテナが内蔵されたインダクタ素子と、前記基板の実装面上に実装され、前記コイル状アンテナに電気的に接続されるＲＦＩＣ素子と、を備えるＲＦＩＤタグであって、  前記コイル状アンテナは、巻回軸が前記基板の実装面に対して平行又は傾斜するように設けられ、  前記基板の実装面に対して直交する方向から見た前記ＲＦＩＣ素子の面積は、前記コイル状アンテナの巻回軸方向から見た前記コイル状アンテナの開口面積よりも大きく、  前記ＲＦＩＣ素子は、前記コイル状アンテナの巻回軸方向から見たとき、前記コイル状アンテナの開口領域の少なくとも一部と重ならないように設けられている、  ＲＦＩＤタグ。
【請求項２】
前記ＲＦＩＣ素子は、前記コイル状アンテナの巻回軸方向から見たとき、前記コイル状アンテナの前記開口領域と重ならないように、前記コイル状アンテナの外側に位置するように設けられている、請求項１に記載のＲＦＩＤタグ。
【請求項３】
前記基板の実装面に対して直交する方向から見たとき、前記ＲＦＩＣ素子は、前記インダクタ素子と同じ又は前記インダクタ素子を包含するサイズを有している、請求項１又は２に記載のＲＦＩＤタグ。
【請求項４】
前記ＲＦＩＣ素子は、ウェハレベルパッケージ構造体である、請求項１〜３のいずれか１つに記載のＲＦＩＤタグ。
【請求項５】
前記インダクタ素子と前記ＲＦＩＣ素子との実装部は、樹脂部材によって封止されている、請求項１〜４のいずれか１つに記載のＲＦＩＤタグ。
【請求項６】
前記基板は、複数の誘電体層又は磁性体層を積層した積層体で構成され、  前記コイル状アンテナは、前記積層体の各層に形成されたコイル用導体パターンを層間接続導体で連結した積層コイル状アンテナで構成されている、請求項１〜５のいずれか１つに記載のＲＦＩＤタグ。
【請求項７】
ＲＦＩＣ素子の材料となるウェハを用意する工程と、  基板にコイル状アンテナが内蔵されたインダクタ素子を複数用意する工程と、  前記ウェハ上に、前記コイル状アンテナの巻回軸が前記基板の実装面に対して平行又は傾斜するように複数の前記インダクタ素子を電気的に接続する工程と、  １つのインダクタ素子を含む個々のＲＦＩＤタグとなるように前記ウェハをダイシングして個片化する工程と、  を含む、ＲＦＩＤタグの製造方法。
【請求項８】
前記ウェハ上に電気的に接続した複数の前記インダクタ素子を封止するように樹脂部材を形成し、その後、１つのインダクタ素子を含む個々のＲＦＩＤタグとなるように前記ウェハ及び前記樹脂部材をダイシングして個片化することを含む、請求項７に記載のＲＦＩＤタグの製造方法。
【発明の詳細な説明】
【技術分野】
【０００１】  本発明は、ＲＦＩＤ（Radio-Frequency IDentification）タグ及びその製造方法に関する。
【背景技術】
【０００２】  従来、この種のＲＦＩＤタグとして、コイル状アンテナを内蔵する基板の実装面上にＲＦＩＣ（Radio-Frequency Integrated circuit）素子を実装した構造を有するＲＦＩＤタグが知られている。従来のＲＦＩＤタグにおいて、コイル状アンテナは、巻回軸が基板の実装面に対して垂直に設けられている。また、ＲＦＩＣ素子は、コイル状アンテナの巻回軸方向から見て、コイル状アンテナの開口領域を塞ぐように設けられている。【０００３】  このＲＦＩＤタグを金属面に取り付けた場合、コイル状アンテナの開口領域を巻回軸方向に通る磁束の流れが金属面に阻害され、ＲＦＩＤタグの通信距離が短くなる。これに対して、特許文献１には、コイル状アンテナの巻回軸方向の中心が基板の中心よりも金属面から離れるように構成されたＲＦＩＤタグが開示されている。特許文献１のＲＦＩＤタグによれば、コイル状アンテナを金属面から離して配置することで、金属面からの影響を抑えて、ＲＦＩＤタグの通信距離の低下を抑えることができる。
【先行技術文献】
【特許文献】
【０００４】
【特許文献１】特開２０１２−２０１５９６号公報
【発明の概要】
【発明が解決しようとする課題】
【０００５】  近年、ＲＦＩＤタグにおいては、一層の小型化が求められており、コイル状アンテナを内蔵する基板のサイズがＲＦＩＣ素子のサイズに対して同程度以下の超小型のＲＦＩＤタグも求められている。この場合、ＲＦＩＣ素子に内蔵される導体パターンなどの金属成分が無視できなくなり、当該金属成分によってコイル状アンテナの開口領域を巻回軸方向に通る磁束の流れが妨げられ、ＲＦＩＣタグの通信距離が短くなってしまう。【０００６】  本発明の目的は、前記課題を解決することにあって、通信距離の低下を抑えつつ、一層の小型化を図ることができるＲＦＩＤタグ及びその製造方法を提供することにある。
【課題を解決するための手段】
【０００７】  前記目的を達成するために、本発明の一態様に係るＲＦＩＤタグは、  基板にコイル状アンテナが内蔵されたインダクタ素子と、前記基板の実装面上に実装され、前記コイル状アンテナに電気的に接続されるＲＦＩＣ素子と、を備えるＲＦＩＤタグであって、  前記コイル状アンテナは、巻回軸が前記基板の実装面に対して平行又は傾斜するように設けられ、  前記基板の実装面に対して直交する方向から見た前記ＲＦＩＣ素子の面積は、前記コイル状アンテナの巻回軸方向から見た前記コイル状アンテナの開口面積よりも大きく、  前記ＲＦＩＣ素子は、前記コイル状アンテナの巻回軸方向から見たとき、前記コイル状アンテナの開口領域の少なくとも一部と重ならないように設けられている。【０００８】  本発明の一態様に係るＲＦＩＤタグの製造方法は、  ＲＦＩＣ素子の材料となるウェハを用意する工程と、  基板にコイル状アンテナが内蔵されたインダクタ素子を複数用意する工程と、  前記ウェハ上に、前記コイル状アンテナの巻回軸が前記基板の実装面に対して平行又は傾斜するように複数の前記インダクタ素子を電気的に接続する工程と、  １つのインダクタ素子を含む個々のＲＦＩＤタグとなるように前記ウェハをダイシングして個片化する工程と、  を含む。
【発明の効果】
【０００９】  本発明によれば、通信距離の低下を抑えつつ、一層の小型化を図ることができるＲＦＩＤタグ及びその製造方法を提供することができる。
【図面の簡単な説明】
【００１０】
【図１】本発明の実施形態に係るＲＦＩＤタグの概略構成を示す斜視図である。
【図２】図１のＲＦＩＤタグが備えるインダクタ素子の内部を透過して示す斜視図である。
【図３】図１のＲＦＩＤタグの断面図である。
【図４】図１のＲＦＩＤタグの平面図である。
【図５】図１のＲＦＩＤタグの等価回路図である。
【図６】図１のＲＦＩＤタグの第１変形例を示す断面図である。
【図７Ａ】図６のＲＦＩＤタグの製造方法の一例を示す模式図である。
【図７Ｂ】図７Ａに続く工程を示す拡大図である。
【図７Ｃ】図７Ｂに続く工程を示す拡大図である。
【図７Ｄ】図７Ｃに続く工程を示す拡大図である。
【図８】図１のＲＦＩＤタグの第２変形例を示す斜視図である。
【図９】図１のＲＦＩＤタグの第３変形例を示す斜視図である。
【図１０】図１のＲＦＩＤタグの第４変形例を示す斜視図である。
【発明を実施するための形態】
【００１１】  本発明の一態様に係るＲＦＩＤタグは、基板にコイル状アンテナが内蔵されたインダクタ素子と、前記基板の実装面上に実装され、前記コイル状アンテナに電気的に接続されるＲＦＩＣ素子と、を備えるＲＦＩＤタグであって、  前記コイル状アンテナは、巻回軸が前記基板の実装面に対して平行又は傾斜するように設けられ、  前記基板の実装面に対して直交する方向から見た前記ＲＦＩＣ素子の面積は、前記コイル状アンテナの巻回軸方向から見た前記コイル状アンテナの開口面積よりも大きく、  前記ＲＦＩＣ素子は、前記コイル状アンテナの巻回軸方向から見たとき、前記コイル状アンテナの開口領域の少なくとも一部と重ならないように設けられている。
【００１２】  この構成によれば、コイル状アンテナの開口領域を巻回軸方向に通る磁束の流れがＲＦＩＣ素子によって阻害されることを抑えることができるので、ＲＦＩＤタグの通信距離の低下を抑えつつ、一層の小型化を図ることができる。
【００１３】  なお、前記ＲＦＩＣ素子は、前記コイル状アンテナの巻回軸方向から見たとき、前記コイル状アンテナの前記開口領域と重ならないように、前記コイル状アンテナの外側に位置するように設けられてもよい。この構成によれば、コイル状アンテナの開口領域を巻回軸方向に通る磁束の流れがＲＦＩＣ素子によって阻害されることをより確実に抑えることができる。
【００１４】  また、前記基板の実装面に対して直交する方向から見たとき、前記ＲＦＩＣ素子は、前記インダクタ素子と同じ又は前記インダクタ素子を包含するサイズを有してもよい。この構成によっても、コイル状アンテナの開口領域を巻回軸方向に通る磁束の流れがＲＦＩＣ素子によって阻害されることを抑えることができる。
【００１５】  また、前記ＲＦＩＣ素子は、ウェハレベルパッケージ構造体であってもよい。この構成によれば、ＲＦＩＤタグのより一層の小型化を図ることができる。
【００１６】  また、前記インダクタ素子と前記ＲＦＩＣ素子との実装部は、樹脂部材によって封止されてもよい。この構成によれば、実装部が水濡れしてショートなどの不具合が生じることを抑えることができるとともに、ＲＦＩＤタグの強度を向上させることができる。
【００１７】  また、前記基板は、複数の誘電体層又は磁性体層を積層した積層体で構成され、前記コイル状アンテナは、前記積層体の各層に形成されたコイル用導体パターンを層間接続導体で連結した積層コイル状アンテナで構成されてもよい。この構成によれば、基板のサイズに対してコイル状アンテナの開口領域をより大きくして、小型で大きいインダクタンス値を得ることができ、ＲＦＩＤタグのより一層の小型化を図ることができる。
【００１８】  本発明の一態様に係るＲＦＩＤタグの製造方法は、  ＲＦＩＣ素子の材料となるウェハを用意する工程と、  基板にコイル状アンテナが内蔵されたインダクタ素子を複数用意する工程と、  前記ウェハ上に、前記コイル状アンテナの巻回軸が前記基板の実装面に対して平行又は傾斜するように複数の前記インダクタ素子を電気的に接続する工程と、  １つのインダクタ素子を含む個々のＲＦＩＤタグとなるように前記ウェハをダイシングして個片化する工程と、を含む。
【００１９】  この製造方法によれば、コイル状アンテナの開口領域を巻回軸方向に通る磁束の流れがＲＦＩＣ素子によって阻害されることを抑えて、通信距離の低下を抑えつつ、一層の小型化を図ることができるＲＦＩＤタグを製造することができる。
【００２０】  なお、前記製造方法は、前記ウェハ上に電気的に接続した複数の前記インダクタ素子を封止するように樹脂部材を形成し、その後、１つのインダクタ素子を含む個々のＲＦＩＤタグとなるように前記ウェハ及び前記樹脂部材をダイシングして個片化することを含んでもよい。この製造方法によれば、インダクタ素子とＲＦＩＣ素子との実装部を樹脂部材によって封止し、実装部が水濡れしてショートなどの不具合が生じることを抑えることができるとともに、ＲＦＩＤタグの強度を向上させることができる。
【００２１】  以下、本発明の実施形態について、図面を参照しながら説明する。なお、この実施形態によって本発明が限定されるものではない。また、図面において実質的に同一の部材については同一の符号を付している。
【００２２】  （実施形態）  以下、本発明の実施形態に係るＲＦＩＤタグについて説明する。図１は、本発明の実施形態に係るＲＦＩＤタグの概略構成を示す斜視図である。図２は、図１のＲＦＩＤタグが備えるインダクタ素子の内部を透過して示す斜視図である。図３は、図１のＲＦＩＤタグの断面図である。図４は、図１のＲＦＩＤタグの平面図である。
【００２３】  図１に示すように、本実施形態に係るＲＦＩＤタグ１は、ＲＦＩＣ素子２と、インダクタ素子３とを備えている。
【００２４】  ＲＦＩＣ素子２は、所定周波数（例えば、ＵＨＦ帯、ＨＦ帯）の送受信信号を処理するチップ状の部品（ＲＦＩＣチップ）である。本実施形態において、ＲＦＩＣ素子２は、ウェハレベルパッケージ構造体である。図４に示すように、平面視において（Ｚ方向から見て）、ＲＦＩＣ素子２は、インダクタ素子３を包含するサイズを有している。ＲＦＩＣ素子２は、例えば、Ｘ方向の長さが０．６ｍｍ、Ｙ方向の長さが０．６ｍｍ、Ｚ方向の長さ  ０．１ｍｍのサイズを有している。
【００２５】  ＲＦＩＣ素子２の一面には、図３に示すように、インダクタ素子３に電気的に接続される一対の入出力端子２１，２２が設けられている。本実施形態において、ＲＦＩＣ素子２の一対の入出力端子２１，２２は、はんだ４を介してインダクタ素子３に接続されている。なお、当該接続は、はんだ４に限定されるものでなく、異方性導電ペースト（ＡＣＰ）などで接続してもよい。
【００２６】  インダクタ素子３は、基板３１と、基板３１に内蔵されたコイル状アンテナ３２とを備えている。本実施形態において、インダクタ素子３は、チップ状の部品（チップインダクタ）である。
【００２７】  基板３１は、ＲＦＩＣ素子２が実装される実装面３１Ａを有する基板である。本実施形態において、基板３１は、複数の誘電体層又は磁性体層を積層した積層体で構成されている。基板３１は、例えば、セラミック製の積層体である。基板３１は、例えば、Ｘ方向の長さが０．４ｍｍ、Ｙ方向の長さが０．２ｍｍ、Ｚ方向の長さが０．２ｍｍのサイズを有している。
【００２８】  コイル状アンテナ３２は、巻回軸３２Ａを中心としてコイル状に巻き回された線状のアンテナ導体である。コイル状アンテナ３２の一端部は、ＲＦＩＣ素子２の一方の入出力端子２１に電気的に接続されている。コイル状アンテナ３２の他端部は、ＲＦＩＣ素子２の他方の入出力端子２２に電気的に接続されている。本実施形態において、コイル状アンテナ３２は、前記積層体の各層に形成されたコイル用導体パターンを層間接続導体で連結した積層コイル状アンテナで構成されている。
【００２９】  図３に示すように、基板３１の実装面３１Ａに対して直交する方向から見たＲＦＩＣ素子２の面積は、コイル状アンテナ３２の巻回軸方向（Ｙ方向）から見たコイル状アンテナ３２の開口面積よりも大きくなるように設計されている。すなわち、本実施形態に係るＲＦＩＤタグ１は、コイル状アンテナ３２のサイズがＲＦＩＣ素子２のサイズに対して小さい超小型のＲＦＩＤタグである。コイル状アンテナ３２は、例えば、Ｘ方向の長さが０．３５ｍｍ、Ｙ方向の長さが０．１５ｍｍ、Ｚ方向の長さ０．１５ｍｍのサイズを有している。
【００３０】  また、ＲＦＩＣ素子２は、図３に示すように、コイル状アンテナ３２の巻回軸方向から見たとき、コイル状アンテナ３２の開口領域３２Ｂの少なくとも一部と重ならないように設けられている。本実施形態において、コイル状アンテナ３２は、巻回軸３２Ａが基板の実装面３１Ａに対して平行になるように設けられている。ＲＦＩＣ素子２は、コイル状アンテナ３２の巻回軸方向から見たとき、コイル状アンテナ３２の開口領域と重ならないように、コイル状アンテナ３２の外側に位置するように設けられている。
【００３１】  図５は、ＲＦＩＤタグ１の等価回路図である。
【００３２】  本実施形態においては、ＲＦＩＣ素子２が電力を供給する給電部５として機能し、コイル状アンテナ３２がインダクタＬとして機能し、ＲＦＩＣ素子２及び基板３１の内部容量がコンデンサＣとして機能する。これにより、ＬＣ並列共振回路が構成されている。
【００３３】  本実施形態に係るＲＦＩＤタグ１は、ＲＦＩＤシステムのリーダライタ（図示せず）と無線通信可能である。リーダライタのアンテナをＲＦＩＤタグ１に近接させることによって、当該アンテナから放射された所定周波数（例えば、ＵＨＦ帯、ＨＦ帯）の信号に基づく磁束がコイル状アンテナ３２の開口領域３２Ｂを巻回軸方向に流れる。これにより、コイル状アンテナ３２に電流が流れる。この電流がＲＦＩＣ素子２に供給され、ＲＦＩＣ素子２が動作する。一方、ＲＦＩＣ素子２からの応答信号がコイル状アンテナ３２から磁界として放射され、リーダライタで読み取られる。このとき、コイル状アンテナ３２から放射される磁界により、コイル状アンテナ３２の開口領域３２Ｂを巻回軸方向に通る磁束の流れが生じる。
【００３４】  本実施形態に係るＲＦＩＤタグ１によれば、コイル状アンテナ３２の巻回軸３２Ａが基板３１の実装面３１Ａに対して平行に設けられている。また、ＲＦＩＣ素子２は、コイル状アンテナ３２の巻回軸方向から見たとき、コイル状アンテナ３２の開口領域３２Ｂと重ならないように設けられている。これにより、コイル状アンテナ３２の開口領域３２Ｂを巻回軸方向に通る磁束の流れがＲＦＩＣ素子２によって阻害されることを抑えることができる。また、前記構成によれば、ＲＦＩＣ素子２の実装面上に渦電流が生じた場合でも、当該渦電流による磁束がコイル状アンテナ３２の開口領域３２Ｂを巻回軸方向に通る磁束の流れを阻害しない。その結果、ＲＦＩＤタグ１の通信距離の低下を抑えつつ、一層の小型化を図ることができる。
【００３５】  また、本実施形態に係るＲＦＩＤタグ１によれば、ＲＦＩＣ素子２がウェハレベルパッケージ構造体であるので、ＲＦＩＤタグ１のより一層の小型化を図ることができる。
【００３６】  また、本実施形態に係るＲＦＩＤタグ１によれば、基板３１が積層体で構成され、コイル状アンテナ３２が積層コイル状アンテナで構成されている。この構成によれば、基板３１のサイズに対してコイル状アンテナ３２の開口領域３２Ｂをより大きくして、小型で大きいインダクタンス値を得ることができ、ＲＦＩＤタグ１のより一層の小型化を図ることができる。
【００３７】  なお、図６に示すように、インダクタ素子３とＲＦＩＣ素子２との実装部は、エポキシ樹脂などの樹脂部材６によって封止されてもよい。この構成によれば、当該実装部が水濡れしてショートなどの不具合が生じることを抑えることができるとともに、ＲＦＩＤタグ１の強度を向上させることができる。
【００３８】  次に、図６に示すＲＦＩＤタグの製造方法の一例について説明する。図７Ａ〜図７Ｄは、図６のＲＦＩＤタグの製造方法の一例を示す模式図である。図７Ｂ〜図７Ｄは、図７Ａの一部を拡大して示している。
【００３９】  まず、図７Ａに示すように、ＲＦＩＣ素子２の材料となるウェハ２Ａを用意する。ウェハ２Ａには、後述するウェハ２Ａのダイシングの際に目安となるダイシングライン２Ａａが編み目状に形成されている。
【００４０】  次いで、基板３１にコイル状アンテナ３２が内蔵されたインダクタ素子３を複数用意する。
【００４１】  次いで、図７Ｂに示すように、ウェハ２Ａ上に、コイル状アンテナ３２の巻回軸３２Ａが基板３１の実装面３１Ａに対して平行にインダクタ素子３を電気的に接続する。より具体的には、ウェハ２Ａのダイシングライン２Ａａで囲まれた矩形の領域上にそれぞれ１つのインダクタ素子３を、コイル状アンテナ３２の巻回軸３２Ａが基板３１の実装面３１Ａに対して平行に、はんだを介して配置する。その後、リフローによりはんだを硬化させて、ウェハ２Ａ上に複数のインダクタ素子３を電気的に接続する。
【００４２】  次いで、図７Ｃに示すように、ウェハ２Ａ上に電気的に接続した複数のインダクタ素子３を封止するように樹脂部材６Ａを形成する。
【００４３】  次いで、図７Ｄに示すように、１つのインダクタ素子３を含む個々のＲＦＩＤタグとなるようにウェハ２Ａ及び樹脂部材６Ａをダイシングライン２Ａａでダイシングして個片化する。これにより、図６に示すＲＦＩＤタグを得ることができる。
【００４４】  なお、図１に示すＲＦＩＤタグ１を製造するには、例えば、図７Ｂに示す工程後、図７Ｃに示す工程を行わずに、１つのインダクタ素子３を含む個々のＲＦＩＤタグとなるようにウェハ２Ａをダイシングして個片化すればよい。
【００４５】  なお、本発明は前記実施の形態に限定されるものではなく、その他種々の態様で実施できる。例えば、前記では、基板３１の実装面３１Ａに対して直交する方向（Ｚ方向）から見たとき、ＲＦＩＣ素子２は、インダクタ素子３を包含するサイズを有するものとしたが、本発明はこれに限定されない。例えば、Ｚ方向から見て、ＲＦＩＣ素子２は、インダクタ素子３と同じサイズを有してもよいし、インダクタ素子３よりも小さいサイズを有してもよい。また、図８に示すように、Ｚ方向から見て、インダクタ素子３の一部がＲＦＩＣ素子２の外方にはみ出すように設けられてもよい。
【００４６】  また、前記では、コイル状アンテナ３２は、積層体の各層に形成されたコイル用導体パターンを層間接続導体で連結した積層コイル状アンテナで構成されるものとしたが、本発明はこれに限定されない。例えば、コイル状アンテナ３２は、一本の線状のアンテナ導体をコイル状に巻き回した巻線コイルであってもよい。
【００４７】  また、前記では、コイル状アンテナ３２は、巻回軸３２Ａが基板の実装面３１Ａに対して平行になるように設けられるものとしたが、本発明はこれに限定されない。例えば、図９に示すように、コイル状アンテナ３２は、巻回軸３２Ａが基板３１の実装面３１Ａに対して傾斜するように設けられてもよい。このとき、ＲＦＩＣ素子２は、コイル状アンテナ３２の巻回軸方向から見たとき、コイル状アンテナ３２の開口領域の少なくとも一部と重ならないように設けられていればよい。但し、コイル状アンテナ３２の巻回軸方向から見たときに、ＲＦＩＣ素子２がコイル状アンテナ３２の開口領域３２Ｂと重なる部分が大きくなればなるほど、当該開口領域３２Ｂを巻回軸方向に通る磁束の流れが妨げられることになる。このため、コイル状アンテナ３２の巻回軸方向から見たとき、ＲＦＩＣ素子２がコイル状アンテナ３２の開口領域３２Ｂの例えば８０％以上重ならないようにすることが望ましい。
【００４８】  また、前記では、図４に示すように、Ｚ方向から見て、コイル状アンテナ３２の巻回軸３２ＡがＲＦＩＣ素子２の各辺と直交又は垂直になるように構成したが、本発明はこれに限定されない。例えば、コイル状アンテナ３２の巻回軸３２ＡがＲＦＩＣ素子２の各辺に対して、例えば４５度、傾斜するように構成されてもよい。
【００４９】  本発明は、添付図面を参照しながら好ましい実施の形態に関連して充分に記載されているが、この技術に熟練した人々にとっては種々の変形や修正は明白である。そのような変形や修正は、添付した請求の範囲による本発明の範囲から外れない限りにおいて、その中に含まれると理解されるべきである。
【産業上の利用可能性】
【００５０】  本発明は、通信距離の低下を抑えつつ、一層の小型化を図ることができるので、ＲＦＩＤシステムに用いるＲＦＩＤタグとして有用である。
【符号の説明】
【００５１】    １      ＲＦＩＤタグ    ２      ＲＦＩＣ素子    ２Ａ    ウェハ    ２Ａａ  ダイシングライン    ３      インダクタ素子    ４      はんだ    ５      給電部    ６，６Ａ      樹脂部材  ２１，２２  入出力端子  ３１      基板  ３１Ａ    実装面  ３２      コイル状アンテナ  ３２Ａ    巻回軸  ３２Ｂ    開口領域
【図１】
2019239626.tif 000003
【図２】
2019239626.tif 000004
【図３】
2019239626.tif 000005
【図４】
2019239626.tif 000006
【図５】
2019239626.tif 000007
【図６】
2019239626.tif 000008
【図７Ａ】
2019239626.tif 000009
【図７Ｂ】
2019239626.tif 000010
【図７Ｃ】
2019239626.tif 000011
【図７Ｄ】
2019239626.tif 000012
【図８】
2019239626.tif 000013
【図９】
2019239626.tif 000014
【図１０】
2019239626.tif 000015
【手続補正書】
【提出日】令和1年6月6日(2019.6.6)
【手続補正１】
【補正対象書類名】特許請求の範囲
【補正対象項目名】全文
【補正方法】変更
【補正の内容】
【特許請求の範囲】
【請求項１】
基板にコイル状アンテナが内蔵されたインダクタ素子と、前記基板の実装面上に実装され、前記コイル状アンテナに電気的に接続されるＲＦＩＣ素子と、を備えるＲＦＩＤタグであって、
前記コイル状アンテナは、巻回軸が前記基板の実装面に対して平行又は傾斜するように設けられ、
前記基板の実装面に対して直交する方向から見た前記ＲＦＩＣ素子の面積は、前記コイル状アンテナの巻回軸方向から見た前記コイル状アンテナの開口面積よりも大きく、
前記ＲＦＩＣ素子は、前記コイル状アンテナの巻回軸方向から見たとき、前記コイル状アンテナの開口領域の少なくとも一部と重ならないように設けられ、
前記基板の実装面に対して直交する方向において、前記コイル状アンテナの開口領域の高さ寸法が、前記ＲＦＩＣ素子の高さ寸法よりも大きい、
ＲＦＩＤタグ。
【請求項２】
前記ＲＦＩＣ素子は、前記コイル状アンテナの巻回軸方向から見たとき、前記コイル状アンテナの前記開口領域と重ならないように、前記コイル状アンテナの外側に位置するように設けられている、請求項１に記載のＲＦＩＤタグ。
【請求項３】
前記基板の実装面に対して直交する方向から見たとき、前記ＲＦＩＣ素子は、前記インダクタ素子と同じ又は前記インダクタ素子を包含するサイズを有している、請求項１又は２に記載のＲＦＩＤタグ。
【請求項４】
前記ＲＦＩＣ素子は、ウェハレベルパッケージ構造体である、請求項１〜３のいずれか１つに記載のＲＦＩＤタグ。
【請求項５】
前記インダクタ素子と前記ＲＦＩＣ素子との実装部は、樹脂部材によって封止されている、請求項１〜４のいずれか１つに記載のＲＦＩＤタグ。
【請求項６】
前記基板は、複数の誘電体層又は磁性体層を積層した積層体で構成され、
前記コイル状アンテナは、前記積層体の各層に形成されたコイル用導体パターンを層間接続導体で連結した積層コイル状アンテナで構成されている、請求項１〜５のいずれか１つに記載のＲＦＩＤタグ。
【請求項７】
ＲＦＩＣ素子の材料となるウェハを用意する工程と、
基板にコイル状アンテナが内蔵されたインダクタ素子を複数用意する工程と、
前記ウェハ上に、前記コイル状アンテナの巻回軸が前記基板の実装面に対して平行又は傾斜するように複数の前記インダクタ素子を電気的に接続する工程と、
１つのインダクタ素子を含む個々のＲＦＩＤタグとなるように前記ウェハをダイシングして個片化する工程と、
を含む、ＲＦＩＤタグの製造方法。
【請求項８】
前記ウェハ上に電気的に接続した複数の前記インダクタ素子を封止するように樹脂部材を形成し、その後、１つのインダクタ素子を含む個々のＲＦＩＤタグとなるように前記ウェハ及び前記樹脂部材をダイシングして個片化することを含む、請求項７に記載のＲＦＩＤタグの製造方法。
【手続補正書】
【提出日】令和1年10月31日(2019.10.31)
【手続補正１】
【補正対象書類名】特許請求の範囲
【補正対象項目名】全文
【補正方法】変更
【補正の内容】
【特許請求の範囲】
【請求項１】
基板にコイル状アンテナが内蔵されたインダクタ素子と、前記基板の実装面上に実装され、前記コイル状アンテナに電気的に接続されるＲＦＩＣ素子と、を備えるＲＦＩＤタグであって、
前記コイル状アンテナは、巻回軸が前記基板の実装面に対して平行又は傾斜するように設けられ、
前記基板の実装面に対して直交する方向から見た前記ＲＦＩＣ素子の面積は、前記コイル状アンテナの巻回軸方向から見た前記コイル状アンテナの開口面積よりも大きく、
前記ＲＦＩＣ素子は、前記コイル状アンテナの巻回軸方向から見たとき、前記コイル状アンテナの開口領域の少なくとも一部と重ならないように設けられ、
前記基板の実装面に対して直交する方向において、前記コイル状アンテナの開口領域の高さ寸法が、前記ＲＦＩＣ素子の高さ寸法よりも大きい、
ＲＦＩＤタグ。
【請求項２】
前記ＲＦＩＣ素子は、前記コイル状アンテナの巻回軸方向から見たとき、前記コイル状アンテナの前記開口領域と重ならないように、前記コイル状アンテナの外側に位置するように設けられている、請求項１に記載のＲＦＩＤタグ。
【請求項３】
前記基板の実装面に対して直交する方向から見たとき、前記ＲＦＩＣ素子は、前記インダクタ素子と同じ又は前記インダクタ素子を包含するサイズを有している、請求項１又は２に記載のＲＦＩＤタグ。
【請求項４】
前記ＲＦＩＣ素子は、ウェハレベルパッケージ構造体である、請求項１〜３のいずれか１つに記載のＲＦＩＤタグ。
【請求項５】
前記インダクタ素子と前記ＲＦＩＣ素子との実装部は、樹脂部材によって封止されている、請求項１〜４のいずれか１つに記載のＲＦＩＤタグ。
【請求項６】
前記基板は、複数の誘電体層又は磁性体層を積層した積層体で構成され、
前記コイル状アンテナは、前記積層体の各層に形成されたコイル用導体パターンを層間接続導体で連結した積層コイル状アンテナで構成されている、請求項１〜５のいずれか１つに記載のＲＦＩＤタグ。
【請求項７】
ＲＦＩＣ素子の材料となるウェハを用意する工程と、
基板にコイル状アンテナが内蔵されたインダクタ素子を複数用意する工程と、
前記ウェハ上に、前記コイル状アンテナの巻回軸が前記基板の実装面に対して平行又は傾斜するように複数の前記インダクタ素子を電気的に接続する工程と、
１つのインダクタ素子を含む個々のＲＦＩＤタグとなるように前記ウェハをダイシングして個片化する工程と、
を含み、
前記基板の実装面に対して直交する方向において、前記コイル状アンテナの開口領域の高さ寸法が、前記ＲＦＩＣ素子の高さ寸法よりも大きい、
ＲＦＩＤタグの製造方法。
【請求項８】
前記ウェハ上に電気的に接続した複数の前記インダクタ素子を封止するように樹脂部材を形成し、その後、１つのインダクタ素子を含む個々のＲＦＩＤタグとなるように前記ウェハ及び前記樹脂部材をダイシングして個片化することを含む、請求項７に記載のＲＦＩＤタグの製造方法。
【国際調査報告】
2019239626.tif 000016
2019239626.tif 000017
2019239626.tif 000018